(57)【要約】【課題】  既存のＰＯＳシステムを含むサーバーシステムの運営効率をより高め得るよう、より多くのＰＯＳ端末を管理できるサーバー装置の提供。【解決手段】  ウェブページのアドレスデータを複数保有しこれをそれぞれ配布して対応する該ウェブページの閲覧を可能とさせるサーバー装置である。ＰＯＳセンター装置とこれに接続された複数のＰＯＳ端末とを含むＰＯＳシステムの複数に接続され、ＰＯＳセンター装置のうちの１つである特定ＰＯＳセンター装置を介してこれに接続されたＰＯＳ端末のうちの一群の特定ＰＯＳ端末においてアドレスデータのうちの１つである特定アドレスデータを符号化した符号を印刷した紙媒体を出力させ得る。これにより特定ＰＯＳ端末の利用者に特定アドレスデータに対応したウェブページの閲覧を可能とさせる。【選択図】  図５
2012247941.tif 000002
【特許請求の範囲】
【請求項１】
ウェブページのインターネット上のアドレスに関するアドレスデータを複数保有し該アドレスデータをそれぞれ配布してこれに対応する該ウェブページの閲覧を可能とさせるサーバー装置であって、
ＰＯＳセンター装置とこれに接続された複数のＰＯＳ端末とを含むＰＯＳシステムの複数に接続され、前記ＰＯＳセンター装置のうちの１つである特定ＰＯＳセンター装置を介してこれに接続された前記ＰＯＳ端末のうちの一群の特定ＰＯＳ端末において前記アドレスデータのうちの１つである特定アドレスデータを符号化した符号を印刷した紙媒体を出力させ得て、前記特定ＰＯＳ端末の利用者に前記特定アドレスデータに対応した前記ウェブページの閲覧を可能とさせることを特徴とするサーバー装置。
【請求項２】
前記特定アドレスデータに対応させて管理者ＩＤを発行し、前記管理者ＩＤにより前記特定アドレスデータに対応した前記ウェブページの内容の変更を可能とさせるゲートプログラムを含むことを特徴とする請求項１記載のサーバー装置。
【請求項３】
前記ゲートプログラムは、前記ウェブページの内容の少なくとも一部をあらかじめ作成された内容から選択することで変更を可能とさせることを特徴とする請求項２記載のサーバー装置。
【請求項４】
前記ウェブページの内容の少なくとも一部は、外部サーバー装置に収容されていることを特徴とする請求項１乃至３のうちの１つに記載のサーバー装置。
【請求項５】
石油製品の販売を目的とし、前記特定ＰＯＳセンター装置は石油特約店及び／又は石油販売店に設けられるとともに、前記一群の特定ＰＯＳ端末はそのサービスステーションのうちの１つに設けられることを特徴とする請求項１乃至４のうちの１つに記載のサーバー装置。
【発明の詳細な説明】
【技術分野】
【０００１】
本発明は、特定の閲覧者に対してウェブページの閲覧を可能とさせるサーバー装置に関し、特に、ウェブページのインターネット上のアドレスに関するアドレスデータを複数保有し該アドレスデータをそれぞれ配布してこれに対応する該ウェブページの閲覧を可能とさせるサーバー装置に関する。
【背景技術】
【０００２】
インターネットユーザは、例えば、検索サイトやリンクサイトなどのゲートサイトを通じて目的とする情報を公開するウェブページにアクセスしこの閲覧を可能とされる。より数多くのユーザに閲覧してもらうことを望むウェブページ、例えば、店舗への顧客の誘引を目的とした情報を公開する広告としてのウェブページなどでは、ゲートサイトからのアクセスを他のウェブページよりもより有利な条件となるように数々の工夫をし、インターネットユーザの該ウェブページへのアクセス数を増やそうとするのである。
【０００３】
一方、特定のインターネットユーザのみにアクセスを望むようなウェブページもある。例えば、特定の店舗を利用した利用者にウェブページ上で該店舗の利用結果に関するアンケートへの記入を求める如きである。かかる場合、特定の店舗を利用していない者がインターネットユーザとして該ウェブページにアクセスすることは望まれないのである。
【０００４】
例えば、特許文献１では、施設の利用者が携帯端末を操作して該施設のＰＯＳ端末から発行されるレシートの２次元コードに基づいてセンターサーバの所定アドレスにアクセスし、２次元コードに所定アドレスの情報とともに含まれる該施設における利用サービスの内容などの情報を送信させるシステムを開示している。かかるシステムは、特定のインターネットユーザにサーバー装置の所定アドレスにあるウェブページの閲覧を許可するものではないが、所定アドレスへのアクセスを特定のユーザだけに許可することについて類似している。また、特許文献２乃至５でも、特許文献１と同様に、ＰＯＳ端末から発行されるレシートなどにサーバー装置の所定アドレスを符号化した２次元コードなどを与え、所定アドレスへのアクセスを許可することを開示している。
【０００５】
ところで、サーバーシステムとして、複数の店舗毎のウェブページをそれぞれの店舗の利用者のみにアクセス可能となるようにサーバー装置で管理する場合を考慮する。サーバー装置はウェブページのインターネット上のアドレスに関するアドレスデータを複数保有しておき、該アドレスデータを各店舗にそれぞれ与える。各店舗では、アドレスデータを店舗の利用者に配布し、該利用者に該アドレスデータに対応するウェブページの閲覧を可能とさせることになる。
【先行技術文献】
【特許文献】
【０００６】
【特許文献１】特開２００５−１８２４２８号公報
【特許文献２】特開２００８−２２５８３２号公報
【特許文献３】特開２００９−１５１５１８号公報
【特許文献４】特開２０１０−０８６０２２号公報
【特許文献５】特開２０１１−０４９７５８号公報
【発明の概要】
【発明が解決しようとする課題】
【０００７】
上記したサーバーシステムにおいて、店舗は従来であれば独自に行っていた作業の多くをサーバー装置側で行い得るようになり、多くの利便を享受し得る。例えば、店舗におけるアドレスの取得、管理が不要となる。また、店舗の利用者に閲覧を限定した店舗毎のウェブページのアクセス数では利用できないような大口サービスであったとしても、サーバー装置全体で管理されるウェブページのトータルのアクセス数によってサーバー装置側で該大口サービスに契約して、各店舗がこれを利用できるようにもなし得る。一方、サーバー装置では、管理するウェブページが共通した業種の店舗となって、システムの開発やコンテンツの作成を効率的に行い得る。すなわち、このサーバーシステムでは、サーバー装置で管理するウェブページ数を増やすこと、つまり店舗数を増やすことが運営効率を高め得るのである。
【０００８】
ところが上記した特許文献１乃至５のように、ＰＯＳセンター装置とこれに接続された複数のＰＯＳ端末とを含むＰＯＳシステムを含むサーバーシステムを運用しようとすれば、店舗数は多くてもこのＰＯＳ端末の数に限定されてしまう。
【０００９】
本発明は、上記したような状況に鑑みてなされたものであって、その目的とするところは、ウェブページのインターネット上のアドレスに関するアドレスデータを複数保有し該アドレスデータをそれぞれ配布してこれに対応する該ウェブページの閲覧を可能とさせるサーバー装置であって、既存のＰＯＳシステムを含むサーバーシステムの運営効率をより高め得るよう、より多くのＰＯＳ端末を管理できるサーバー装置を提供することにある。
【課題を解決するための手段】
【００１０】
本発明によるサーバー装置は、ウェブページのインターネット上のアドレスに関するアドレスデータを複数保有し該アドレスデータをそれぞれ配布してこれに対応する該ウェブページの閲覧を可能とさせるサーバー装置であって、ＰＯＳセンター装置とこれに接続された複数のＰＯＳ端末とを含むＰＯＳシステムの複数に接続され、前記ＰＯＳセンター装置のうちの１つである特定ＰＯＳセンター装置を介してこれに接続された前記ＰＯＳ端末のうちの一群の特定ＰＯＳ端末において前記アドレスデータのうちの１つである特定アドレスデータを符号化した符号を印刷した紙媒体を出力させ得て、前記特定ＰＯＳ端末の利用者に前記特定アドレスデータに対応した前記ウェブページの閲覧を可能とさせることを特徴とする。
【００１１】
上記した発明によれば、複数のＰＯＳシステムのＰＯＳ端末からその利用者に特定アドレスデータを配布し得て、より多くのＰＯＳ端末を管理し、既存のＰＯＳシステムを含むサーバーシステムの運営効率をより高め得るのである。ここで、サーバー装置は、ＰＯＳセンター装置とＰＯＳ端末との接続回線の種類などにかかわらず、ＰＯＳ端末の設置された店舗などの利用者に所定のアドレスデータを配布できる。
【００１２】
上記した発明において、前記特定アドレスデータに対応させて管理者ＩＤを発行し、前記管理者ＩＤにより前記特定アドレスデータに対応した前記ウェブページの内容の変更を可能とさせるゲートプログラムを含むことを特徴としてもよい。かかる発明によれば、特定アドレスデータを配布された特定ＰＯＳ端末の管理者のみに、特定アドレスデータに対応するインターネット上のアドレスにあるウェブページの変更を可能とさせ得るとともに、これをサーバー装置において簡便にでき得るのである。
【００１３】
上記した発明において、前記ゲートプログラムは、前記ウェブページの内容の少なくとも一部をあらかじめ作成された内容から選択することで変更を可能とさせることを特徴としてもよい。かかる発明によれば、特定ＰＯＳ端末の管理者は、容易にウェブページを変更できるのである。
【００１４】
上記した発明において、前記ウェブページの内容の少なくとも一部は、外部サーバー装置に収容されていることを特徴としてもよい。かかる発明によれば、特定ＰＯＳ端末の管理者は、容易にウェブページの変更をできるとともに、外部サーバー装置にある外部サービスによるウェブページに接続させ得て、外部サービス、例えば、大口サービスの提供を可能にするのである。
【００１５】
上記した発明において、石油製品の販売を目的とし、前記特定ＰＯＳセンター装置は石油特約店及び／又は石油販売店に設けられるとともに、前記一群の特定ＰＯＳ端末はそのサービスステーションのうちの１つに設けられることを特徴としてもよい。かかる発明によれば、複数の石油特約店及び／又は石油販売店毎のＰＯＳシステムについて、各ＰＯＳ端末の設置された各サービスステーション毎に割り振ったアドレスをサーバー装置で管理できるのである。
【図面の簡単な説明】
【００１６】
【図１】本発明によるサーバー装置を含むシステムを示す構成図である。
【図２】ＰＯＳセンター装置を示す構成図である。
【図３】ＰＯＳ端末を示す構成図である。
【図４】ＰＯＳ端末により出力される紙媒体を示す平面図である。
【図５】アドレスデータの割り振り方法を説明する図である。
【図６】本発明によるサーバー装置にアクセスしたＰＣの表示画面を示す図である。
【図７】本発明によるサーバー装置にアクセスしたＰＣの画面構成を示す図である。
【図８】ウェブページの表示例を示す図である。
【発明を実施するための形態】
【００１７】
本発明による１つの実施例であるサーバー装置を含むサーバーシステムについて、図１乃至図４を用いて、その詳細を説明する。
【００１８】
図１に示すように、石油元売会社１０によって運営されるサーバー装置１１は、一般的なハードウェアであって、ＣＰＵ１２、ＲＯＭ１３、ＲＡＭ１４、記憶装置１５及びインターネット通信回線５０に接続するための通信装置１６などを含む。ここでは図示しないが、サーバー装置１１には、これを管理するためのモニタ装置及びキーボードなどの入出力装置等が接続されている。
【００１９】
記憶装置１５には、ＣＰＵ１２に実行させるプログラムとしてのアドレス送信手段１７ａ、ＩＤ発行手段１７ｂ、ゲート管理手段１７ｃ及びウェブページ編集手段１７ｄがプログラムとして書き込まれている。これらの詳細については後述する。更に、記憶装置１５には、データベース領域としてのデータベース１８を含む。
【００２０】
一方、石油元売会社１０から石油製品を仕入れる石油特約店や石油販売店である販売本社２０によって運営されるＰＯＳシステム２９は、この中核であるＰＯＳセンター装置２１（以後、ＰＯＳセンタ２１と称する）と、販売本社２０の系列小売店舗である複数のサービスステーション（ＳＳ）３０ａ、３０ｂ…に設置されるＰＯＳ端末３１ａ、３１ｂ…とからなる。ここでＰＯＳ端末３１ａは、１つのサービスステーション３０ａに複数設置されていてもよい。更に、ＰＯＳセンタ２１とＰＯＳ端末３１ａ、３１ｂ…とは専用回線で接続されている。また、ＰＯＳシステム２９は、サーバー装置３を介してインターネット通信回線５０に接続されている。なお、後述するように、ＰＯＳシステム２９’は外部とは回線が閉じており、必要なデータ入力を端末２１ａからＰＯＳセンタ２１’（ＰＯＳシステム２９’）へ別途入力するようになっていてもよい。
【００２１】
外部サーバー装置６１も一般的なハードウェアであって、図示しないＣＰＵ、ＲＯＭ、ＲＡＭ、記憶装置及び通信装置を含み、インターネット通信回線５０に接続可能である。また、パーソナルコンピュータ７１は一般的なパーソナルコンピュータ（以降、ＰＣと称する）であり、図示しないＣＰＵ、ＲＯＭ、ＲＡＭ、記憶装置及び通信装置を含み、サーバー装置３を介してインターネット回線５０に接続可能である。
【００２２】
図２に示すように、ＰＯＳセンタ２１は、ＣＰＵ２２、ＲＯＭ２３、ＲＡＭ２４、記憶装置２５及びインターネット通信回線５０及び専用回線に接続するための通信装置２６を含む。記憶装置２５には、ＣＰＵ２２に実行させるプログラムとして、受信手段２７ａ及び画像データ生成手段２７ｂが書き込まれている。受信手段２７ａ及び画像データ生成手段２７ｂについての詳細は後述する。また、図示しないが、ＰＯＳセンタ２１には、これを管理するためのモニタ装置及びキーボードなどの入出力装置等が接続されている。更に、記憶装置２５には、データベース領域としてデータベース２８を含む。
【００２３】
データベース２８には、サービスステーション３０ａ、３０ｂ…のそれぞれを識別するためのＳＳ識別符号と、各サービスステーション３０ａ、３０ｂ…に設置された複数のＰＯＳ端末３１ａ、複数のＰＯＳ端末３１ｂ…のそれぞれを個々に識別するためのＰＯＳ識別符号とが互いに関連付けられて記憶されている。つまり、１つのサービスステーション３０ａに複数のＰＯＳ端末３１ａが設置されている場合、これらのＰＯＳ端末３１ａはＰＯＳ識別符号によってその各々を識別される一方、これらのＳＳ識別符号は同一である。
【００２４】
図３に示すように、ＰＯＳセンタ２１と専用回線で接続されているＰＯＳ端末３１ａは、ＰＯＳ−ＣＰＵ３２、ＲＯＭ３３、ＲＡＭ３４及び回線に接続するための通信装置３６を含む。ＲＯＭ３３には、ＣＰＵ３２に実行させるプログラムとしての印刷装置制御手段３７が書き込まれている。また、ＰＯＳ端末３１ａは、ＰＯＳセンタ２１より受信した画像データ等を紙媒体に印刷させるための印刷装置３８を含む。本実施例においてこの紙媒体はレシート４１である。
【００２５】
次に、上記したサーバーシステムについて、一般的なＰＯＳシステム２９を含む動作等について図１に併せて、図２乃至図４を参照しつつ説明する。
【００２６】
例えば、サービスステーション３０ａにおいて顧客に対して給油などのサービスが提供された場合、かかるサービスの料金を顧客から徴収するためにレシート４１をＰＯＳ端末３１ａに発行させる。
【００２７】
まず、ＰＯＳ端末３１ａとＰＯＳセンタ２１との間で相互通信を確立させ、サービスステーション３０ａにおいて提供されたサービスの単価や合計額などのデータをＰＯＳ端末３１ａからＰＯＳセンタ２１へと送信する。一方、ＰＯＳセンタ２１ではこれに応じてデータを所定処理し、画像データ生成手段２７ｂでＰＯＳ端末３１ａに印刷させるべき所定の画像データを作成し返信する。かかる画像データの一部については、受信手段２７ａによりインターネット通信回線５０を介して外部から受信したデータを用いたり、図示しない入力装置から入力されたデータを用いたりすることもできる。また、ＰＯＳセンタ２１のデータベース２８にＰＯＳ端末３１ａに対応して常に画像データに付加すべきデータをＰＯＳ識別符号と関連付けて記憶させておいてもよい。
【００２８】
ＰＯＳ端末３１ａでは、受信した画像データを所定の画像データ、例えば、ＰＯＳ端末３１ａに直接、入力等可能な独自画像データとともに、印刷装置制御手段３７によってフォーマットを整えて印刷装置３８からレシート４１に印刷出力させる。出力されたレシート４１は、ＰＯＳ端末３１ａに対応するサービスの利用者である顧客に手渡され、又は顧客が自ら入手する。
【００２９】
レシート４１の印刷面は領収金額欄４１ａと付加画像欄４１ｂとを含む（特に、図４を参照）。領収金額欄４１ａにはサービスステーション３０ａにおいて提供されたサービス内容とその単価や合計額などが印刷される。また、付加画像欄４１ｂには、例えば２次元コード４２を含む画像や文字などからなる付加画像が印刷される。２次元コード４２は、ＰＯＳセンタ２１から受信した画像データにより与えられ得る。なお、２次元コードは、例えばインターネット上のアドレスを示すアドレスデータの如きを符号化したものであり得る。
【００３０】
図３を併せて参照すると、顧客が自らの所持する携帯電話などの携帯端末４５の２次元コード読取り機能によってレシート４１に印刷されている２次元コード４２を読み取ると、携帯端末４５ではこれを逆符号化し、インターネット上のウェブページのアドレスを示すアドレスデータを取得できる。アドレスデータは、例えばウェブページのＵＲＬのデータであり、インターネット上でのウェブページデータの記憶されている領域を示すデータである。顧客は、携帯端末４５から基地局５１、サーバー装置３及びインターネット通信回線５０を介して２次元コード４２に対応したＵＲＬにより指定されるアドレスにアクセス可能となる。
【００３１】
携帯端末４５からアクセスを受けたサーバー装置等は、対象となるウェブページデータを返信する。ウェブページデータを受信した携帯端末４５は、これを内蔵するモバイルブラウザ等によって表示装置等へ表示させる。
【００３２】
以上によれば、レシート４１の限られた面積では表示できない多くの情報を携帯端末４５のモバイルブラウザ等を介して顧客に提供可能となる。
【００３３】
続いて、本発明の１つの実施例であるサーバー装置と、上記したＰＯＳシステムを含むサーバーシステムの運用等について、図１乃至図５を用いて、その詳細を説明する。
【００３４】
図５に図１を併せて参照すると、石油元売会社１０は、ウェブページを表示させるための複数のウェブページデータ１９ａ、１９ｂ、１９ｃ…を記憶させる各記憶領域をサーバー装置１１（若しくは、図示しない外部サーバー装置）のデータベース１８内に作成する。その上で、石油元売会社１０は、ウェブページデータ１９ａ、１９ｂ、１９ｃ…を記憶する各記憶領域に対応するアドレスデータを各サービスステーション３０ａ、３０ｂ、３０ｃ…にそれぞれ１つずつ重複しないように与える。
【００３５】
詳細には、サーバー装置１１のアドレス送信手段１７ａにおいて、データベース１８に格納されているウェブページデータ１９ａ、１９ｂ、１９ｃ…のうちから１つ、例えばウェブページデータ１９ａを選択する。そして、ウェブページデータ１９ａの格納されているアドレスを示すアドレスデータを特定アドレスデータとして、通信装置１６よりインターネット通信回線５０を介して販売本社２０のＰＯＳセンタ２１に向けて送信する。なお、データベース１８には、系列の各販売本社２０、２０’のＰＯＳセンタ２１、２１’と接続するために必要なＰＯＳセンタのアドレスデータも記憶している。なお、ＰＯＳシステム２９’の如く、外部と回線で閉じている場合、端末２１ａに送信し、ＰＯＳセンタ２１に別途入力する。
【００３６】
図２を併せて参照すると、特定アドレスデータを受信したＰＯＳセンタ２１は、受信手段２７ａによってデータベース２８を参照し、専用回線で接続されたＰＯＳ端末を設置するサービスステーション３０ａ、３０ｂ、３０ｃ…に対応するＳＳ識別符号の中から１つを選択する。ここでは特定のサービスステーション３０ａのＳＳ識別符号が選択される。さらに、このＳＳ識別符号に関連付けられた、すなわちサービスステーション３０ａに設置されたＰＯＳ端末に対応する、ＰＯＳ識別符号の全てに関連づけて特定アドレスデータをデータベース２８に記憶させる。つまり、サービスステーション３０ａに設置された複数のＰＯＳ端末３１ａの全てに対応させて１つの特定アドレスデータを記憶させる。
【００３７】
アドレス送信手段１７ａは、受信手段２７ａと相互通信を行って、ＰＯＳセンタ２１に接続された他のＳＳ識別符号に関連づけられたＰＯＳ端末、すなわち他のサービスステーション３０ｂ、３０ｃ…に設置されたＰＯＳ端末３１ｂ、３１ｃ…がある場合にはこれに対応させる他のアドレスデータを順次送信する。また、これを受けて受信手段２７ａは、ＰＯＳシステム２９内のＰＯＳ端末３１ｂ、３１ｃ…の全てに対応させたアドレスデータを各ＰＯＳ識別符号と関連付けてデータベース２８に記憶させる。アドレス送信手段１７ａは、他のＰＯＳシステムについても、すなわち、他の販売本社２０’などにおいても同様にアドレスデータを送信し、ＰＯＳセンタ２１’のそれぞれに接続される全てのＰＯＳ端末に対応させてアドレスデータを記憶させる。
【００３８】
以上により、ウェブページデータ１９ａ、１９ｂ、１９ｃ…を記憶した各領域を示す各アドレスデータは、それぞれサービスステーション３０ａ、３０ｂ、３０ｃ…の各店舗に対応して与えられ、ＰＯＳセンタ２１、２１’の記憶装置にＰＯＳ識別符号と関連付けて記憶される。つまり、ウェブページデータ１９ａ、１９ｂ、１９ｃ…と、この記憶領域を示す各アドレスデータとがサービスステーション３０ａ、３０ｂ、３０ｃ…のそれぞれに対して割り振られる。
【００３９】
各ＰＯＳセンタ２１、２１’は、画像データ生成手段２７ｂによりデータベースに記憶されているアドレスデータに基づいてＰＯＳ端末に印刷させるべき所定の画像データを作成し得る。つまり、ＰＯＳ端末から出力されるレシート４１には、各ＰＯＳ端末の設置されているサービスステーション３０ａ、３０ｂ、３０ｃ…に対応したアドレスデータを符号化した２次元コード４２を付加画像として印刷させ得る（図３及び図４参照）。各サービスステーションの顧客は、設置されたＰＯＳ端末から出力される紙媒体に印刷された符号により、各サービスステーション３０ａ、３０ｂ、３０ｃ…のそれぞれに割り振られたアドレスデータに対応して格納されたウェブページデータ１９ａ、１９ｂ、１９ｃ…にアクセスでき、それぞれに対応するウェブページを閲覧できる。
【００４０】
本実施例では、ＰＯＳセンタとＰＯＳ端末とは専用回線によって接続されているが、サーバー装置１１は、インターネット回線５０などでＰＯＳセンタに接続されていてもよい。すなわち、例えば、石油元売会社１０が系列の販売本社２０、２０’を多数有する場合であっても、各ＰＯＳシステムの回線の種類によらず、簡便に全てのＰＯＳシステムに接続可能である。
【００４１】
また、アドレスデータの割り振りをサーバー装置１１で行うので、石油元売会社１０はアドレスデータを一元的に管理し、顧客に閲覧させるウェブページを一元的に管理できる。つまり、既存のＰＯＳシステムの運用効率をより高め得るよう、多くのＰＯＳ端末を管理できるのである。
【００４２】
上記したように、本実施例においては、１のサービスステーションに設置されている複数のＰＯＳ端末を一群として、この一群に同一のアドレスデータを対応させるようにした。つまり、サービスステーション毎にアドレスデータを割り振った。なお、同一のサービスステーション内においてＰＯＳ端末を複数の群に分けることや、複数のサービスステーションにまたがるようＰＯＳ端末の一群を設定することも同様に可能である。かかるシステムの詳細については、説明を省略する。
【００４３】
次に、顧客の携帯端末４５に表示させるウェブページデータの編集方法などについて、図１、図６乃至図８を参照しつつその詳細を説明する。
【００４４】
サーバー装置１１は、アドレスデータの送信後又はこれに併せて、１のアドレスデータに対して１の管理者ＩＤを発行する。詳細には、図１に示すＩＤ発行手段１７ｂにより、例えば所定の規則に従って重複を避けるようにして管理者ＩＤを作成させ、これをアドレスデータに関連付けてデータベース１８に記憶させる。管理者ＩＤは、関連付けられたアドレスデータに対応するウェブページを編集するためのアカウントであり、すなわちアドレスデータにより特定される記憶領域にログインし、記憶されているウェブページデータ１９ａ、１９ｂ、１９ｃ…を編集するためのアカウントである。
【００４５】
管理者ＩＤに併せて、対応する各記憶領域にログインするためのパスワードも同時に発行し、組み合わせてデータベース１８に記憶させる。つまり、データベース１８では、互いに対応するアドレスデータ、管理者ＩＤ及びパスワードが関連付けられて１つずつ保存される。なお、管理者ＩＤとパスワードの組み合わせは、対応するアドレスデータの与えられたサービスステーション３０ａ、３０ｂ、３０ｃ…の店長などの管理者に別途連絡され、管理者ＩＤもアドレスデータと同様に各サービスステーションに割り振られる。
【００４６】
再び図１を参照すると、管理者ＩＤ及びパスワードの与えられた管理者は、ＰＣ７１からサーバー装置３及びインターネット通信回線５０を介してサーバー装置１１にアクセスする。ＰＣ７１の設置場所は特に限定されず、各サービスステーションや販売本社２０にあってもよく、管理者が外出先からアクセスする場合は外出先であってもよい。
【００４７】
インターネット通信回線５０を介してＰＣ７１からサーバー装置１１にアクセスすると、ゲート管理手段１７ｃは、ウェブブラウザで図６（ａ）に示すようなトップ画面１００を表示させるためのウェブサイトデータをＰＣ７１に向けて送信する。管理者は、トップ画面１００上でポインタなどを移動させて、ボタン１００ａをクリックすると、インターネット上の所定のアドレス領域にログインするための要求信号がサーバー装置１１に送信される。ここで、所定のアドレス領域は、サーバー装置１１のサービスステーション３０ａに対応する特定のアドレスデータにより指定されるウェブページデータ１９ａ（図５参照）を記憶している領域である。
【００４８】
ゲート管理手段１７ｃはログインの要求信号を受けて、図６（ｂ）に示すようなログイン画面１０１を表示させるためのウェブサイトデータをＰＣ７１に返信し、ＰＣ７１はウェブブラウザによりログイン画面１０１を表示させる。管理者はログイン画面１０１のボックス１０１ａ及び１０１ｂにそれぞれ管理者ＩＤ及びパスワードを入力する。さらに、ログインボタン１０１ｃをクリックすると、管理者ＩＤ及びパスワードがサーバー装置１１に送信される。
【００４９】
ゲート管理手段１７ｃは受信した管理者ＩＤ及びパスワードの組み合わせとデータベース１８に記憶されている組み合せとを照合する。ゲート管理手段１７ｃは、同一の組み合わせを照合できた場合にはＰＣ７１のログインが承認される。ここでは、サービスステーション３０ａに割り振られた管理者ＩＤが承認される。
【００５０】
ゲート管理手段１７ｃは、インターネット通信回線５０を介して、ＰＣ７１を管理者ＩＤに関連付けられたアドレスデータに対応する領域にアクセス可能にさせる。つまり、ＰＣ７１は、ゲート管理手段１７ｃによりサーバー装置１１の特定のアドレスデータによって示される領域、つまりウェブページデータ１９ａの記憶領域にアクセス可能となる。
【００５１】
サーバー装置１１は、ウェブページ編集手段１７ｄによりウェブページデータ１９ａをＰＣ７１において編集させることを許容させる。図７に示すように、ウェブページ編集手段１７ｄは、ＰＣ７１のログインを受けて、図６（ｃ）に示すような編集作業選択画面１０２を表示させるウェブサイトデータをＰＣ７１に向けて送信する。管理者は、ＰＣ７１に表示された編集作業選択画面１０２から各種操作を選択可能である。
【００５２】
例えば、テンプレート選択ボタン１０２ａを選択すると、ＰＣ７１はウェブページ編集手段１７ｄと相互交信し、図６（ｄ）に示すようなテンプレート選択画面１０３を表示させる。かかる画面１０３では、編集に使用するテンプレート１０３ａのうちの１つが選択できて、ウェブページ編集手段１７ｄは図６（ｅ）に示すような詳細編集画面１０４を選択されたテンプレートの内容を反映させた上でＰＣ７１に表示させる。なお、テンプレートは石油元売会社１０などによりあらかじめ作成され、画面に表示させるためのデータがサーバー装置１１の記憶装置１５に記憶されている。
【００５３】
１つの実施例として、図８に示すように、編集されるウェブページデータにより表示されるウェブページは、例えばクーポン画像４６などである。クーポン画像４６は、石油元売会社１０の指定する画像の中から選択された上側の画像４６ａと、サービスステーション毎にその内容を編集できる下側の画像４６ｂとを含むものである。
【００５４】
図６（ｅ）に図８を併せて参照すると、詳細編集画面１０４には、クーポン画像４６のうち上側の画像４６ａに対応した上側欄１０４ａと、下側の画像４６ｂに対応した下側欄１０４ｂが含まれる。上側欄１０４ａにはテンプレートにより選択された内容が表示される。また、下側欄１０４ｂは、ＰＣ７１を操作する管理者により編集可能である。管理者は詳細編集画面１０４での編集後、保存ボタン１０４ｃをクリックすると、編集内容がウェブページ編集手段１７ｄを介してデータベース１８の特定のアドレスデータにより示される領域にウェブページデータ１９ａとして上書きされる。
【００５５】
図６及び図７に図１を併せて参照すると、ＰＣ７１に表示された編集作業選択画面１０２において、再編集ボタン１０２ｂが選択されると、ＰＣ７１はウェブページ編集手段１７ｄと相互交信し、図６（ｆ）に示すような編集情報一覧画面１０５を表示させる。画面１０５には、ウェブページの編集に使用するウェブページデータ１９ａと過去に同一の管理者ＩＤによってウェブページデータとして編集された編集データとの一覧である編集情報１０５ａが表示されている。
【００５６】
画面１０５において、編集情報１０５ａのうちの１つを選択し、上書きボタン１０５ｂ又はコピーボタン１０５ｃのうちどちらかをクリックする。選択された編集情報１０５ａの反映された詳細編集画面１０４が表示されると、管理者は上記したと同様に下側欄１０４ｂを編集して、データベース１８の特定のアドレスデータにより示される領域にウェブページデータ１９ａとして上書きさせる。なお、上書きボタン１０５ｂにより詳細編集画面１０４に移行した場合にはウェブページデータ１９ａが上書き保存され、コピーボタン１０５ｃにより詳細編集画面１０４に移行した場合には、編集前のデータが編集データとして管理者ＩＤと関連付けられて保存され、新たな編集データがウェブページデータ１９ａとして更新される。
【００５７】
ＰＣ７１に表示された編集作業選択画面１０２において、クーポン一覧表示ボタン１０２ｃが選択されると、ＰＣ７１はウェブページ編集手段１７ｄと相互交信し、図６（ｇ）に示すような対象クーポン一覧画面１０６を表示させる。かかる画面１０６は、管理者がウェブページの編集に使用できるクーポンの一覧を表示している。このうち編集に使用するクーポンはこの画面１０６上で選択して指定することができ、編集作業に先立って管理者により指定される。詳細編集画面１０４において差込ボタン１０４ｄをクリックされた場合に指定されているクーポンが下側欄１０４ｂに挿入され、これに合わせて管理者が下側欄１０４ｂを編集することができる。クーポンの一覧は、サーバー装置１１の記憶装置１５に記憶されており、石油元売会社１０等により適宜更新される。
【００５８】
以上のように、管理者ＩＤを与えられた管理者だけが管理者ＩＤと関連付けられたアドレスデータに対応するウェブページの編集や変更を可能とされている。また、管理者は、上記したようにＰＣ７１からサーバー装置１１に管理者ＩＤを用いてアクセスするだけで、簡便にこの編集や変更を行うことができる。また、テンプレートを利用したり、クーポンを挿入したり、あらかじめ作成された内容から少なくとも一部を選択して利用できて、編集が容易になる。
【００５９】
さらに、上記したウェブページデータの少なくとも一部を、外部サーバー装置６１（図１参照）に適宜アクセスしてこれに収容されているデータを転用するようにもできる。すなわち、石油元売会社１０が、例えばクーポンを発行する会社と契約し、かかる会社の管理するウェブページ内のクーポンの使用を許諾されているとする。上記した図６（ｄ）に示すテンプレート選択画面１０３及び図６（ｇ）に示す対象クーポン一覧画面１０６の表示にあたって、当該会社のウェブページにアクセスし、そのウェブページ内のクーポンを表示させるデータの一部をＰＣ７１に送信させ、表示させ得る。つまり、外部サーバー装置６１に収容されているデータを使用し、管理者はサーバー装置１１内のウェブページデータを容易に編集し変更できる。
【００６０】
また、サーバー装置１１の管理するウェブページの表示について、外部サーバー装置６１で提供される外部サービスを利用できるよう、その一部を外部サーバー装置６１内にあるウェブページから転用させて表示させることも可能である。かかる場合、石油元売会社１０は系列の販売本社２０、２０’を多数有しており、かかる大きな事業規模においてのみ契約し得るような大口のサービスを各販売本社２０、２０’のサービスステーションでも利用できるようになるのである。
【００６１】
なお、本実施例においては、石油製品の販売を行うためのＰＯＳシステムについて説明したが、石油製品の販売に限らず、他の製品の販売を行うためのＰＯＳシステムについても同様に実施できる。
【００６２】
ここまで本発明による代表的実施例及びこれに基づく変形例を説明したが、本発明は必ずしもこれら実施例及び変形例に限定されるものではなく、当業者であれば、添付した特許請求の範囲を逸脱することなく種々の代替実施例及び改変例を見出すことができるであろう。
【符号の説明】
【００６３】
サーバー装置            １１
ＰＯＳセンター装置      ２１
ＰＯＳ端末              ３１
印刷装置                ３８
レシート                ４１
携帯端末                ４５
外部サーバー装置        ６１
パーソナルコンピュータ  ７１
【図１】
2012247941.tif 000003
【図２】
2012247941.tif 000004
【図３】
2012247941.tif 000005
【図４】
2012247941.tif 000006
【図５】
2012247941.tif 000007
【図６】
2012247941.tif 000008
【図７】
2012247941.tif 000009
【図８】
2012247941.tif 000010